(57)【要約】【課題】自装置のバッテリの残量について、より確実な電源管理が可能な通信端末、電源集中管理装置および電源管理システムを得る。【解決手段】第１の子機１０３1は、電圧部１４８で電圧を測定することで監視回路部１５０がバッテリ１４９の残量状態を監視する。残量が予め定めた値未満となった場合にはＣＰＵ１４２の制御の下に、ピクトグラム表示部１０９が充電を必要とする旨の表示を行う一方、データ送信部１４７が通信制御部１４５を介してバッテリ情報を図示しない親機側に送信する。これにより、親機も第１の子機１０３1が充電を必要とする旨の表示を行うことができる。【選択図】図３
2007201803.tif 000002
【特許請求の範囲】
【請求項１】
電源としてのバッテリと、
このバッテリの残量の状態をチェックする残量状態チェック手段と、
この残量状態チェック手段のチェックした残量状態を表示する自装置バッテリ残量状態表示手段と、
前記残量状態チェック手段のチェックした残量状態を他の装置の表示のために無線で送信する残量状態送信手段
とを具備することを特徴とする通信端末。
【請求項２】
前記残量状態チェック手段は、バッテリの残量が予め設定した値未満となったことをチェックする手段であることを特徴とする請求項１記載の通信端末。
【請求項３】
前記他の装置は、自装置を子機として扱う親機であり、それぞれの子機の前記残量状態送信手段は前記バッテリの残量状態の他に自装置の識別番号を親機に送信することを特徴とする請求項１記載の通信端末。
【請求項４】
前記他の装置は、自装置を子機として扱う親機とその親機の他の子機であり、それぞれの子機の前記残量状態送信手段は前記バッテリの残量状態の他に自装置の識別番号を親機および前記他の子機に送信することを特徴とする請求項１記載の通信端末。
【請求項５】
１または複数の通信端末からこれらが電源として使用するバッテリの残量状態を無線で受信する残量状態受信手段と、
この残量状態受信手段の受信した残量状態を、前記通信端末の前記バッテリの残量状態として集中的に表示する通信端末バッテリ残量状態表示手段
とを具備することを特徴とする電源集中管理装置。
【請求項６】
電源としてのバッテリと、このバッテリの残量の状態をチェックする残量状態チェック手段と、この残量状態チェック手段のチェックした残量状態を表示する自装置バッテリ残量状態表示手段と、前記残量状態チェック手段のチェックした残量状態を他の装置の表示のために無線で送信する残量状態送信手段とを備えた１または複数の子機と、
前記残量状態送信手段の送信した残量状態を無線で受信する残量状態受信手段と、この残量状態受信手段の受信した残量状態を、前記子機の前記バッテリの残量状態として表示する子機バッテリ残量状態表示手段を備えた親機
とを具備することを特徴とする電源管理システム。
【請求項７】
電源としてのバッテリと、このバッテリの残量の状態をチェックする残量状態チェック手段と、この残量状態チェック手段のチェックした残量状態を表示する自装置バッテリ残量状態表示手段と、前記残量状態チェック手段のチェックした残量状態を他の装置の要求があったとき無線で送信する残量状態送信手段とを備えた１または複数の子機と、
前記１または複数の子機に対して前記バッテリの残量の状態の報告を時間を置いて要求する残量状態報告要求手段と、この残量状態報告要求手段の要求に対して前記子機から無線で応答があったときこの応答で示された残量状態を、その子機の前記バッテリの残量状態として表示する子機バッテリ残量状態表示手段を備えた親機
とを具備することを特徴とする電源管理システム。
【発明の詳細な説明】
【技術分野】
【０００１】
本発明は、ファクシミリ装置、電話機等の通信端末、これらの通信端末の電源を集中して管理する電源集中管理装置および電源管理システムに係わり、一例としてはバッテリを使用し電源の残量を表示するようにした子機としての通信端末、これらの通信端末の電源を集中して管理する親機としての電源集中管理装置および親機と子機からなる電源管理システムに関する。
【背景技術】
【０００２】
ファクシミリ装置、電話機等の通信機器は、親機の他に子機を備えているものが多い。たとえば家庭で多く使用されるファクシミリ装置は、電話回線に接続されているためにファクシミリ通信を行う機能と通話を行う機能を備えている。そこで、このようなファクシミリ装置の親機に子機を備えることで、これらの間で内線通話を行うことができるだけでなく、子機単独で電話を掛けたり、掛かってきた電話に応答することができる。
【０００３】
この例のファクシミリ装置では、電話回線と接続される親機は設置場所が固定されている。これに対して、子機は利用者の都合によって置き場所を自由に設定あるいは変更できることが求められている。このような背景から、子機はコードレスとなっているものが多く、親機と無線で通信できる範囲内で自由に場所を移動させることができる。このような子機は、バッテリを内蔵しており、充電用のスタンドから離れた場所に置いておく場合も多い。そこで、子機の電源の残量が少なくなったときの電源管理を行うことが提案されている（たとえば特許文献１参照）。
【０００４】
この提案では、バッテリへの通算の負荷を示すカウンタを設けて、このカウンタのカウントを、コードレス子機等の使用状態に応じて異ったアップ率でカウントアップさせるようにしている。そして、通算の負荷が所定の寿命を示す値に達した時に、アラームとして子機に配置されたＬＥＤ（Light Emitting Diode）を作動させて、バッテリ寿命を使用者に知らせるようになっている。
【特許文献１】特開平０６−０３７６９８号公報（第０００９段落、図３、図４）
【発明の開示】
【発明が解決しようとする課題】
【０００５】
ところが、この提案では、バッテリの劣化に従ってカウンタのカウント値とバッテリの寿命の関係が変動してしまい、アラームを正確に行うことができなくなる。更に、この提案では子機の操作面に配置したＬＥＤを点灯させるようにしているので、該当する子機を部屋の片隅等の目立たない場所に放置していたような場合には、バッテリの残量が少なくなったことを検知することができないことになる。このため、電話の着信時にそのような子機をあわてて見つけても使用することができず、親機のある場所に急いで行った時点で電話が切れているという状況が発生することになる。
【０００６】
以上、ファクシミリ装置を例に挙げて説明したが、それ以外の通信機器でバッテリを使用した子機を有するものでも同様の問題があった。
【０００７】
そこで本発明の目的は、自装置のバッテリの残量について、より確実な電源管理が可能な通信端末、電源集中管理装置および電源管理システムを提供することにある。
【課題を解決するための手段】
【０００８】
本発明では、（イ）電源としてのバッテリと、（ロ）このバッテリの残量の状態をチェックする残量状態チェック手段と、（ハ）この残量状態チェック手段のチェックした残量状態を表示する自装置バッテリ残量状態表示手段と、（ニ）残量状態チェック手段のチェックした残量状態を他の装置の表示のために無線で送信する残量状態送信手段とを通信端末に具備させる。
【０００９】
すなわち本発明では、通信端末が電源として使用するバッテリの残量の状態を残量状態チェック手段でチェックして、このチェックした残量状態を自装置バッテリ残量状態表示手段で表示する一方、この残量状態を残量状態送信手段で他の装置の表示のために無線で送信するようにした。したがって、子機が親機あるいは他の子機に自装置のバッテリの残量の状態を通知でき、これによって他の装置でも自装置のバッテリの残量が少なくなったときに警告表示を行うことが可能になる。
【００１０】
また、本発明では、（イ）１または複数の通信端末からこれらが電源として使用するバッテリの残量状態を無線で受信する残量状態受信手段と、（ロ）この残量状態受信手段の受信した残量状態を、通信端末のバッテリの残量状態として集中的に表示する通信端末バッテリ残量状態表示手段とを電源集中管理装置に具備させる。
【００１１】
すなわち本発明では、残量状態受信手段が個々の通信端末のバッテリの残量状態を無線で受信することにして、通信端末バッテリ残量状態表示手段にこれらの通信端末のバッテリの残量状態を集中的に表示することにしている。これにより、各通信端末のバッテリの管理が効率化する。一例としては、親機が１または複数の子機のバッテリの残量状態を管理することが挙げられる。
【００１２】
また、本発明では、（イ）電源としてのバッテリと、このバッテリの残量の状態をチェックする残量状態チェック手段と、この残量状態チェック手段のチェックした残量状態を表示する自装置バッテリ残量状態表示手段と、残量状態チェック手段のチェックした残量状態を他の装置の表示のために無線で送信する残量状態送信手段とを備えた１または複数の子機と、（ロ）残量状態送信手段の送信した残量状態を無線で受信する残量状態受信手段と、この残量状態受信手段の受信した残量状態を、子機のバッテリの残量状態として表示する子機バッテリ残量状態表示手段を備えた親機とを電源管理システムに具備させる。
【００１３】
すなわち本発明は、１または複数の子機と親機で構成される電源管理システムであり、子機側は、バッテリの残量の状態を残量状態チェック手段でチェックすると共に、チェックした残量状態を自装置バッテリ残量状態表示手段で表示するという通常の残量表示動作を行うだけでなく、残量状態送信手段を用いて、残量状態チェック手段のチェックした残量状態を他の装置の表示のために無線で送信することにしている。親機側では、残量状態受信手段が残量状態送信手段の送信した残量状態を無線で受信して、子機バッテリ残量状態表示手段が子機のバッテリの残量状態を表示するようにしている。したがって、各子機のバッテリの残量状態をそれぞれの子機だけでなく、親機も把握して適切な措置を採ることができる。
【００１４】
また、本発明では、（イ）電源としてのバッテリと、このバッテリの残量の状態をチェックする残量状態チェック手段と、この残量状態チェック手段のチェックした残量状態を表示する自装置バッテリ残量状態表示手段と、残量状態チェック手段のチェックした残量状態を他の装置の要求があったとき無線で送信する残量状態送信手段とを備えた１または複数の子機と、（ロ）１または複数の子機に対してバッテリの残量の状態の報告を時間を置いて要求する残量状態報告要求手段と、この残量状態報告要求手段の要求に対して子機から無線で応答があったときこの応答で示された残量状態を、その子機のバッテリの残量状態として表示する子機バッテリ残量状態表示手段を備えた親機とを電源管理システムに具備させる。
【００１５】
すなわち本発明では、１または複数の子機と親機で構成される電源管理システムであり、子機側は、バッテリの残量の状態を残量状態チェック手段でチェックすると共に、チェックした残量状態を自装置バッテリ残量状態表示手段で表示するという通常の残量表示動作を行うだけでなく、他の装置としての親機から要求があったとき、残量状態送信手段が残量状態チェック手段のチェックした残量状態を無線で送信するようにしている。したがって、親機側からポーリングによって各子機のバッテリの残量の状態を取得して表示することができる。このため、仮にある子機がバッテリの残量がなくなって通信できないような状況に陥った場合もこれに対する対策を採ることができる。更に、それぞれの子機の他の障害にも親機側が検知して対応することが可能になる。
【発明の効果】
【００１６】
以上説明したように本発明によれば、子機等の通信端末のバッテリの残量の状態を親機等の他の装置が表示することができるので、子機等の通信端末が通信を行おうとするときに行えなくなる事態の発生を親機等の他の装置側で予防することができる。また、バッテリの残量がなくなったときを表示するのであれば、充電あるいは電池交換までの時間を短縮することができる。無線通信が普及し、各種の通信端末が家庭やオフィス等に配置されるようになると、バッテリの消耗した通信端末が書類等の物品で覆われたり家具の隙間に落下する等により目の届かない存在になる場合もあり、このような場合でもその通信端末の電源管理を他の装置が行うことで、その装置の存在を認知させ、通信機能を維持させたり、その物自体を見つけ出す契機ともなるという効果もある。更に親機がポーリングによって各子機のバッテリの残量を報告させるようにすれば、バッテリ残量の確認だけでなく、子機の通信障害等の障害発生も把握できるという効果もある。
【発明を実施するための最良の形態】
【００１７】
以下実施例につき本発明を詳細に説明する。
【実施例１】
【００１８】
図１は、本発明の一実施例におけるファクシミリ装置の電源管理システムを示したものである。この電源管理システム１００は、ファクシミリ本体としての親機１０１と、充電スタンド１０２1、１０２2を備えた第１および第２の子機１０３1、１０３2から構成されている。親機１０１と、充電スタンド１０２1、１０２2は、図示しないが商用電源と接続されている。親機１０１は第１および第２の子機１０３1、１０３2と通信を行うためのアンテナ１０４を備えており、また、通話を行うためのハンドセット１０５や、着脱式の画像読取部１０６を備えている。更に、装置前面の左側には、比較的大型の表示部１０７を備え、その右側にはダイヤルキー等の各種キーからなる操作部１０８を配置している。第１および第２の子機１０３1、１０３2は、それぞれピクトグラム表示部１０９とキー操作部１１１を備えている。
【００１９】
図２は、親機の構成の概要を表わしたものである。親機１０１は、装置全体の制御を行う主制御部１２１を備えている。主制御部１２１は、ＣＰＵ（Central Processing Unit）１２２と、このＣＰＵ１２２が実行する制御プログラムを格納したＲＯＭ（Read Only Memory）１２３および各種のデータを一時的に格納するＲＡＭ（Random Access Memory）１２４を備えている。主制御部１２１は、データバス等のバス１１５を通じて装置内の次の各部と接続されている。
【００２０】
通信制御部１２５は電話回線１２６あるいはインターネットに接続されており、ファクシミリの送受信のための通信制御を行うようになっている。また、通信制御部１２５はアンテナ１０４を介して図１に示した第１および第２の子機１０３1、１０３2と無線通信を行うようになっている。なお、通信制御部１２５の制御の一部は、主制御部１２１内のＣＰＵ１２２がＲＯＭ１２３に格納された制御プログラムを用いて行ってもよい。
【００２１】
画像読取部１０６は１次元イメージセンサを備えており、画像をライン単位で読み取るようになっている。画像記録部１２７は、受信したファクシミリ信号を復号してプリントアウトしたり、コピー機能を使用するときに画像読取部１０６の読み取った画像をプリントアウトするようになっている。表示部１０７は液晶ディスプレイから構成されており、電話番号等の各種の操作情報や受信した情報を表示する他に、本実施例ではバッテリの電源管理に関する情報も表示するようになっている。操作部１０８は、テンキー等の各種キースイッチを備えており、電話番号等のデータの入力を行うようになっている。通話制御部１２８は、図１に示したハンドセット１０５の図示しないマイクロフォンおよびスピーカによる音量等の通話に関する制御を行う。
【００２２】
子機バッテリ情報認知部１２９は、図１に示した第１および第２の子機１０３1、１０３2のバッテリの電源管理に関する情報を解析するようになっている。子機バッテリ情報格納部１３０は、第１および第２の子機１０３1、１０３2のバッテリの電源管理に関する情報を格納するようになっている。
【００２３】
図３は、子機の構成を表わしたものである。ここでは第１の子機１０３1の構成を表わしている。第２の子機１０３2は、第１の子機１０３1と構成が同一であるので、その図示および説明は省略する。第１の子機１０３1は、その全体の制御を行う主制御部１４１を備えている。主制御部１４１は、ＣＰＵ１４２と、このＣＰＵ１４２が実行する制御プログラムを格納したＲＯＭ１４３および各種のデータを一時的に格納するＲＡＭ１４４を備えている。主制御部１４１は、データバス等のバス１４０を通じて装置内の次の各部と接続されている。本実施例ではＲＡＭ１４４の不揮発メモリ領域に充電の要否を示す要充電フラグを格納している。要充電フラグがオンのときは、充電が必要であり、オフのときは必要でない。
【００２４】
通信制御部１４５は、アンテナ１４６を使用して、図１に示した親機１０１を介しての外線との送受信の制御を行ったり、内線通話の制御を行うようになっている。データ送信部１４７は、電源管理のために第１の子機１０３1のバッテリの状態を送信するためのものである。送信は通信制御部１４５と別に行ってもよいが、通信制御部１４５の送信機能部分と兼用とされていてもよい。電圧部１４８は、バッテリ１４９の出力電圧をチェックするようになっている。監視回路部１５０は、たとえば定期的にチェックすることで、バッテリ１４９の残量の監視を行うようになっている。ピクトグラム表示部１０９は、液晶ディスプレイで構成されており、各種の情報を文字や絵文字で表示するようになっている。キー操作部１１１は、テンキー等のキースイッチを備えており、電話番号等の入力を行うようになっている。
【００２５】
図４は、本実施例の第１の子機におけるバッテリ監視制御の様子を表わしたものである。第２の子機１０３2も第１の子機１０３1と同様の監視制御を行う。図４に示したバッテリ監視制御は、たとえば１０秒に１度というように時分割的に行われる。図３と共に説明を行う。まず、主制御部１４１は電圧部１４８にバッテリ１４９の電圧を測定させる（ステップＳ２０１）。主制御部１４１は、測定した電圧Ｅが充電の必要な電圧としての一番高い電圧Ｅ1未満であるかどうかを判別する（ステップＳ２０２）。
【００２６】
バッテリ１４９の電圧ＥがＥ1以上の場合には（Ｎ）、前記したＲＡＭ１４４をチェックする（ステップＳ２０３）。この結果、要充電フラグがオフの場合、すなわち充電を要しないという状態になっているときには（Ｎ）、そのまま処理を終了する（リターン）。すなわち、バッテリ１４９の残量が十分存在する状態なので、充電を必要とする警告表示は出されない。
【００２７】
バッテリ１４９の使用が継続的に行われた結果、その残量が少なくなってきたとする。ある時点で電圧を測定し（ステップＳ２０１）、その結果としてバッテリ１４９の電圧Ｅが電圧Ｅ1未満になったとする（ステップＳ２０２：Ｙ）。すると、主制御部１４１はＲＡＭ１４４の不揮発メモリ領域の要充電フラグがオフであるかをチェックする（ステップＳ２０４）。今までは電圧が十分であり、充電が不要であったので、要充電フラグはオフとなっている（Ｙ）。今回初めて充電が必要となったので、主制御部１４１は要充電フラグをオンにする（ステップＳ２０５）。そして、自装置である第１の子機１０３1のピクトグラム表示部１０９にピクトグラム（絵文字）によって充電が必要な旨の要充電表示を開始する（ステップＳ２０６）。
【００２８】
図５は、ピクトグラム表示部に要充電表示が行われている状態を示したものである。ピクトグラム表示部１０９の右下部分に、要充電表示のピクトグラム１６１が表示される。静止画としての表示が行われてもよいし、より注意を引くために点滅表示が行われるようにしてもよい。
【００２９】
図４に戻って説明を続ける。ピクトグラム１６１の表示の開始をピクトグラム表示部１０９に指示したら、主制御部１４１は次にデータ送信部１４７に親機１０１に対して要充電を示すバッテリ情報の送信を指示する（ステップＳ２０７）。データ送信部１４７はこの指示があると、通信制御部１４５を介してバッテリ情報の送信を行う。
【００３０】
主制御部１４１は次以降もバッテリ監視制御で同様にバッテリ１４９の電圧Ｅをチェックする（ステップＳ２０１）。これらのチェックの時点で第１の子機１０３1の充電を開始していなければ電圧Ｅは電圧Ｅ1未満である（ステップＳ２０２：Ｙ）。しかしながら、これらの時点では要充電フラグがオンとなっている（ステップＳ２０４：Ｎ）。したがって、要充電を示すバッテリ情報の送信はこれ以後、行われないことになる。
【００３１】
図６は、親機におけるバッテリ監視制御の様子を表わしたものである。図２と共に説明する。親機１０１の主制御部１２１は、第１および第２の子機１０３1、１０３2からバッテリ情報が送られてくるのを待機している（ステップＳ２２１）。送られてくるバッテリ情報には、既に説明した要充電を示すバッテリ情報と、要充電解除を示すものとがある。バッテリ情報が送られてきて（Ｙ）、これが要充電を示すものであった場合には（ステップＳ２２２：Ｙ）、親機１０１の表示部１０７に、子機の充電のための警告表示が開始される（ステップＳ２２３）。
【００３２】
図７は、親機の表示部に表示された警告表示の一例を示したものである。表示部１０７には、たとえば「子機を充電してください」という警告内容が表示される。図７に示した例では、主制御部１２１は、要充電を示すバッテリ情報が受信された日時も表示するようにしている。これにより、ユーザは子機が電池の容量の残量が少なくなってからの時間の経過から、現在のバッテリ１４９（図３）の状態を推測することができる。
【００３３】
このように第１または第２の子機１０３1、１０３2のバッテリ１４９の容量が少なくなると、その子機のピクトグラム表示部１０９だけでなく親機１０１の表示部１０７にも要充電を示す警告表示が行われるので、ユーザは該当する子機の充電を早期に行うことができる。
【００３４】
図４に戻って説明を続ける。第１の子機１０３1のバッテリ１４９の充電が開始されたとする。すると、ステップＳ２０１でバッテリ１４９の電圧Ｅを測定した結果、これが電圧Ｅ1以上となる（ステップＳ２０２：Ｎ）。そこで主制御部１４１は、要充電フラグがオンになっているかをチェックする（ステップＳ２０３）。現時点までは要充電フラグがオンになっている（Ｙ）。そこで、主制御部１４１は、要充電フラグをオフにして（ステップＳ２０８）、自装置としての第１の子機１０３1の要充電表示のピクトグラム１６１の表示動作を終了させる（ステップＳ２０９）。そして、親機１０１へ要充電を解除する要充電解除のバッテリ情報を送信して（ステップＳ２１０）、処理を終了させる（リターン）。
【００３５】
図６に戻って説明を続ける。親機１０１は、このバッテリ情報を受信して（ステップＳ２２１：Ｙ）、要充電解除なので（ステップＳ２２２：Ｎ）、表示部１０７の要充電の警告表示を終了させることになる（ステップＳ２２４）。
【００３６】
＜本発明の変形例＞
【００３７】
以上説明した実施例では、第１および第２の子機１０３1、１０３2のように複数の子機が存在する場合、親機１０１はどの子機が充電を必要としているかを判別することができない。本発明の変形例では、この問題点を解消している。
【００３８】
図８は、実施例の図２に対応したもので、この変形例における親機の構成の概要を表わしたものである。図８で図２と同一部分には同一の符号を付しており、これらの説明を適宜省略する。親機１０１Ａ内の子機番号情報認知部１３１は、通信の相手方としての子機の子機番号（内線番号）を認知するようになっている。この変形例では、第１および第２の子機１０３1Ａ、１０３2Ａを使用するシステムとなっているので、これらの子機番号（内線番号）を認知することになる。
【００３９】
図９は、図３に対応するもので、この変形例における子機の構成を表わしたものである。ここでは第１の子機１０３1Ａの構成を表わしている。第２の子機１０３2Ａは、第１の子機１０３1Ａと構成が同一であるので、その図示および説明は省略する。また、図３と同一部分には同一の符号を付しており、これらの説明を適宜省略する。子機番号情報格納部１５１は、自己の子機番号を格納するようになっている。この変形例では、子機番号を内線番号と一致させている。第１の子機１０３1はその内線番号を格納することになる。子機番号情報識別部１５２は、ＲＡＭ１４４に蓄積された内線番号としての子機番号を識別して子機番号情報格納部１５１に格納するようになっている。
【００４０】
図１０は、図４に対応するもので、第１の子機におけるバッテリ監視制御の様子を表わしたものである。第２の子機１０３2Ａも第１の子機１０３1Ａと同様の監視制御を行う。図１０で図４と同一部分には同一の符号を付しており、これらの説明を適宜省略する。
【００４１】
図１０では、図４のステップＳ２０７に対応するステップＳ２０７Ａで、親機１０１へ要充電を示すバッテリ情報の送信を子機番号（内線番号）と共に行うようになっている。また、図４のステップＳ２１０に対応するステップＳ２１０Ａでは、親機１０１へ要充電を解除する要充電解除のバッテリ情報を子機番号（内線番号）と共に送信するようになっている。
【００４２】
図１１は、図６に対応するもので、親機におけるバッテリ監視制御の様子を表わしたものである。図１１で図６と同一部分には同一の符号を付しており、これらの説明を適宜省略する。図１１では図６のステップＳ２２３に対応するステップＳ２２３Ａで、表示部１０７における充電の警告表示と共に充電の必要な子機の子機番号（内線番号）を表示するようにしている。したがって、親機１０１Ａ側で、どの子機が充電が必要かを知ることができる。ステップＳ２４４Ａでは該当する子機番号（内線番号）の表示を終了させている。
【００４３】
図１２は、この変形例における親機の表示部に表示された警告表示の一例を示したものである。表示部１０７には、たとえば「子機充電必要  内線“２”」という警告内容が表示される。また、主制御部１２１は、要充電を示すバッテリ情報が受信された日時も表示するようにしている。これにより、ユーザは内線“２”の第１の子機１０３1Ａの充電が必要なことと、電池の容量の残量が少なくなってからの時間の経過を知ることができる。
【００４４】
＜本発明の他の変形可能性＞
【００４５】
以上説明した実施例および変形例では、第１の子機１０３1（または第１の子機１０３1Ａ）が図４のステップＳ２０７（または図１０のステップＳ２０７Ａ）で要充電を示すバッテリ情報を親機１０１（または親機１０１Ａ）に１度だけ送信を行うことにした。このときのバッテリ情報が何からの原因で正常に送信されない場合には、親機１０１（または親機１０１Ａ）は子機の要充電を示す警告表示を行うことができない。表示を確実に行うには、親機１０１（または親機１０１Ａ）側が要充電を示すバッテリ情報を受信した旨の応答を第１の子機１０３1（または第１の子機１０３1Ａ）に返送することにし、第１の子機１０３1（または第１の子機１０３1Ａ）はこの応答がくるまでは何回でも要充電を示すバッテリ情報を送信するようにすればよい。図４のステップＳ２１０（または図１０のステップＳ２１０Ａ）の要充電解除のバッテリ情報の送受信についても同様である。
【００４６】
また、変形例では、ある子機が充電を必要としたとき親機１０１（または親機１０１Ａ）にもその表示を行うことにしたが、システムの設定内容によっては親機１０１（または親機１０１Ａ）と共に他の子機にも同様の表示を行うようにしてもよい。この場合には親機１０１（または親機１０１Ａ）が残りの子機に子機番号と共に要充電を示すバッテリ情報を送信するようにすればよい。これにより、よく使用する子機があったような場合、その子機に他の子機のバッテリの状態が表示されることで、子機全体の電源管理を特定の子機で行うことができるという利点が生じる。また、電源管理システムによっては、親機の電源の状態を子機側に通知してもよい。この場合、親機もバッテリ駆動させることが前提となる。
【００４７】
更に実施例では図４のステップＳ２０１でバッテリ１４９の電圧を測定し、更にステップＳ２０２で測定した電圧Ｅが充電の必要な電圧としての一番高い電圧Ｅ1未満であるかどうかを判別することにしたが、ステップＳ２０１で測定した電圧を表わした電圧情報を親機１０１に送信するようにしてもよい。この場合、親機１０１は得られた電圧を基にして、どの子機が充電が必要かを判別することができる。なお、判別の基準は、「未満」と共に「以下」を使用してもよいことはもちろんである。
【００４８】
また、実施例および変形例では、子機側が充電を必要とした時点で親機１０１（または親機１０１Ａ）にバッテリ情報を送信するようにしたが、親機１０１（または親機１０１Ａ）がたとえば１日に１回というように定期的に第１および第２の子機１０３1、１０３2（または第１および第２の子機１０３1Ａ、１０３2Ａ）にバッテリ情報の報告を求める信号を送出するようにしてもよい。この場合、親機１０１（または親機１０１Ａ）は応答してきたバッテリ情報を基にしてそれぞれの子機１０３1、１０３2（または第１および第２の子機１０３1Ａ、１０３2Ａ）の充電の要否を表示する。また、第１および第２の子機１０３1、１０３2（または第１および第２の子機１０３1Ａ、１０３2Ａ）の中でバッテリ情報を応答しないものがあれば、この場合に電池切れが生じたとして同様の表示を行ってもよい。このようなポーリング方式を電源管理に採用する場合、親機１０１（または親機１０１Ａ）が第１および第２の子機１０３1、１０３2（または第１および第２の子機１０３1Ａ、１０３2Ａ）のいずれから報告の応答を得るかは報告の要求のタイミングを時間的にずらすことで判別することができる。したがって、それぞれの子機１０３1、１０３2（または第１および第２の子機１０３1Ａ、１０３2Ａ）は自装置の子機番号あるいは内線番号を応答の際に必ずしも通知する必要がない。
【００４９】
更に実施例および変形例では第１および第２の子機１０３1、１０３2（または第１および第２の子機１０３1Ａ、１０３2Ａ）の２台の子機を備えるファクシミリ装置を前提としたが、子機の台数は１台でもよく、また３台以上でもよい。更にファクシミリ装置以外にも本発明を適用できることは当然である。
【００５０】
また、実施例および変形例ではバッテリ１４９を充電スタンド１０２1、１０２2で充電を繰り返し可能な二次電池を前提として説明したが、これに限るものではない。すなわち、１回だけ使用することが前提の一次電池を使用する電源管理システムに本発明を適用することもできる。ただし、この場合にはたとえば図１２で説明した「子機充電必要  内線“２”」というような充電を要求する表示の代わりに、「子機電池交換必要  内線“２”」というような電池の交換を要求する表示となる。
【図面の簡単な説明】
【００５１】
【図１】本発明の一実施例におけるファクシミリ装置の電源管理システムを示したシステム構成図である。
【図２】本実施例の親機の構成の概要を表わしたブロック図である。
【図３】本実施例の第１の子機の構成の概要を表わしたブロック図である。
【図４】本実施例の第１の子機におけるバッテリ監視制御の様子を表わした流れ図である。
【図５】本実施例のピクトグラム表示部に要充電表示が行われている状態を示した平面図である。
【図６】本実施例の親機におけるバッテリ監視制御の様子を表わした流れ図である。
【図７】親機の表示部に表示された警告表示の一例を示した要部平面図である。
【図８】変形例における親機の構成の概要を表わしたブロック図である。
【図９】本発明の変形例における子機の構成を表わしたブロック図である。
【図１０】変形例における第１の子機におけるバッテリ監視制御の様子を表わした流れ図である。
【図１１】変形例における親機におけるバッテリ監視制御の様子を表わした流れ図である。
【図１２】変形例における親機の表示部に表示された警告表示の一例を示した要部平面図である。
【符号の説明】
【００５２】
１００  電源管理システム
１０１、１０１Ａ  親機
１０２  充電スタンド
１０３、１０３Ａ  子機
１０７  表示部
１０９  ピクトグラム表示部
１２１、１４１  主制御部
１２２、１４２  ＣＰＵ
１２３、１４３  ＲＯＭ
１２４、１４４  ＲＡＭ
１２５、１４５  通信制御部
１２９  子機バッテリ情報認知部
１３０  子機バッテリ情報格納部
１３１  子機番号情報認知部
１４７  データ送信部
１４８  電圧部
１４９  バッテリ
１５０  監視回路部
１５１  子機番号情報格納部
１５２  子機番号情報識別部
【図１】
2007201803.tif 000003
【図２】
2007201803.tif 000004
【図３】
2007201803.tif 000005
【図４】
2007201803.tif 000006
【図５】
2007201803.tif 000007
【図６】
2007201803.tif 000008
【図７】
2007201803.tif 000009
【図８】
2007201803.tif 000010
【図９】
2007201803.tif 000011
【図１０】
2007201803.tif 000012
【図１１】
2007201803.tif 000013
【図１２】
2007201803.tif 000014